(57)【要約】【課題】  キャスクからできるだけ離れた場所において、圧力計の目視測定のみならず、保守点検、校正作業を可能にする監視システムを提供し、作業の安全性向上及び被ばくの低減を図ることを目的とする。【解決手段】  核燃料が収納される貯蔵室１１を有するキャスク本体１０の上部開口部に蓋間空間部１４を有する核燃料貯蔵用のキャスク１と、前記蓋間空間部１４の圧力を計測する圧力計２を備えた核燃料貯蔵施設における保安監視設備において、前記蓋間空間部１４の近くに備えられ、当該蓋間空間部１４と接続された１次バルブ１６と、前記圧力計２の近くに備えられ、当該圧力計２と接続された２次バルブ２２と、前記１次バルブ１６と前記２次バルブ２２を接続する導管２１を配設して、キャスク１から離れた場所に設置された圧力計２に蓋間空間部１４の圧力を導圧する導圧路２１を構成する。【選択図】図１
2011196715.tif 000002
【特許請求の範囲】
【請求項１】
核燃料が収納される貯蔵室を有するキャスク本体の上部開口部に蓋間空間部を有する核燃料貯蔵用のキャスクと、前記蓋間空間部の圧力を計測する圧力計を備えた核燃料貯蔵施設における保安監視設備であって、
前記蓋間空間部の近くに１次バルブと、前記圧力計の近くに２次バルブを備え、
前記１次バルブと前記２次バルブが導管により接続されることによって前記蓋間空間部の圧力を前記圧力計に導圧する導圧路が形成された保安監視設備。
【請求項２】
前記導管に、第２の２次バルブと第２の圧力計を有する分岐管が備えられた請求項１に記載の保安監視設備。
【請求項３】
前記２次バルブが放射線管理区域外に備えられた請求項１又は２に記載の保安監視設備。
【発明の詳細な説明】
【技術分野】
【０００１】
本発明は核燃料貯蔵施設における保安監視設備に関する。
【背景技術】
【０００２】
使用済みの核燃料を乾式の貯蔵容器を用いて貯蔵する場合、例えばキャスクと呼ばれる金属製の貯蔵施設が用いられる。核燃料が安全に貯蔵されていることを十分に監視する必要があるため、例えば、特開２００２−１１６２９４号公報（特許文献１）や特開２００３−１５６５９０号公報（特許文献２）、特開２００４−２９４０６６号公報（特許文献３）に開示された核燃料貯蔵施設では、キャスクの内部圧力の変化を監視するシステムが採用されている。
【０００３】
図３は内部圧力の変化が監視されるキャスクの一例を示す概略的断面構造図である。キャスク１は、上部に開口を有し、核燃料が収納される貯蔵室１１を形成するキャスク本体１０と、前記開口を塞ぐ第１の蓋体１２と、さらに第１の蓋体１２の上部を覆う第２の蓋体１３を備える。第１の蓋体１２の上面に形成された凹部１５と第２の蓋体１３の底面とによって、第１の蓋体１２と第２の蓋体１３の間に蓋間空間部１４が形成されている。核燃料が封入された貯蔵室１１内の大気は不活性ガスで置換され、大気圧よりも減圧状態に維持される。蓋間空間部１４は不活性ガスで大気圧よりも高圧に加圧され、蓋間空間部１４の圧力は蓋間空間部１４に設置された圧力計２によって監視される。
【先行技術文献】
【特許文献】
【０００４】
【特許文献１】特開２００２−１１６２９４号公報
【特許文献２】特開２００３−１５６５９０号公報
【特許文献３】特開２００４−２９４０６６号公報
【発明の概要】
【発明が解決しようとする課題】
【０００５】
ところで、上記蓋間空間部の圧力を圧力計によって測定するシステムでは、蓋間空間部に設置された圧力計を保守、点検、校正する必要がある。この保守点検作に際して、従来の貯蔵施設では作業員がキャスクの第２の蓋体上に登って作業を行ったり、キャスク近傍に設置された作業用架台（図示せず）上から作業を行ったりする必要があった。
【０００６】
ところが、キャスクは放射線管理区域内に設置されているために、圧力計の保守点検作業に際して作業時間が制限されるという制約があった。また、被ばく回避の観点からもキャスク近傍における作業を避けることが望まれていた。
【０００７】
本願発明はこのような背景技術に鑑みてなされたものであって、キャスクからできるだけ離れた場所、例えば地上や専用の部屋などにおいて、圧力計の目視測定のみならず、保守点検、校正作業を可能にする監視システムを提供し、作業の安全確保及び被ばくの低減を図ることを目的とする。
【課題を解決するための手段】
【０００８】
そこで、本発明においては、蓋間空間部の近くに１次バルブを備えると共に、圧力計の近くに２次バルブを備え、前記１次バルブと前記２次バルブを導管で接続して、蓋間空間部の圧力を圧力計に導圧する導圧路を形成している。
【発明の効果】
【０００９】
本発明によると、キャスクの蓋間空間部と圧力計が１次バルブ及び２次バルブを介して導管によって接続されるので、導管の長さを長くすることによって、キャスクから離れた遠隔地において圧力計の目視確認ができる。また、圧力計の近くには２次バルブが備えられているので、２次バルブを閉じることによって圧力計の校正や交換を行える。この結果、例えば放射線管理区域外にて圧力監視や保守点検作業を行うことができ、作業時間の制約がなくなるだけでなく、作業員の被ばくが低減される。
【図面の簡単な説明】
【００１０】
【図１】図１は本発明の核燃料貯蔵施設における保安監視設備の一例を示す説明図である。
【図２】図２は本発明の核燃料貯蔵施設における保安監視設備の他例を示す説明図である。
【図３】図３は従来例である核燃料貯蔵施設における保安監視設備の一例を示す説明図である。
【発明を実施するための形態】
【００１１】
本発明の核燃料貯蔵施設における保安監視設備は、核燃料が収納される貯蔵室を有するキャスク本体の上部開口部に蓋間空間部を有する核燃料貯蔵用のキャスクと、前記蓋間空間部の圧力を計測する圧力計を備えた核燃料貯蔵施設における保安監視設備であって、前記蓋間空間部の近くに備えられ、当該蓋間空間部と接続された１次バルブと、前記圧力計２の近くに備えられ、当該圧力計と接続された２次バルブと、前記１次バルブと前記２次バルブを接続する導管を備え、蓋間空間部の圧力を圧力計に導圧する導圧路が形成されている
【００１２】
この保安監視設備においては１次バルブと２次バルブを接続する導管の長さを長くして、２次バルブ及び圧力計をキャスクから離れた位置に配置できる。この結果、作業者はキャスクに近づくことなく、圧力計の保守点検作業を行うことができる。
【００１３】
以下、下記の実施例に基づいて本発明について更に詳細に説明するが、下記の実施例はあくまでも例示であって、本発明は下記の実施例に限定されることのないのは言うまでもない。
【実施例１】
【００１４】
図１は、本発明の核燃料貯蔵施設における保安監視設備の一例を示す説明図である。本発明の保安監視設備は、核燃料、特に使用済みの核燃料を貯蔵する施設の保安監視のために使用される。核燃料貯蔵施設は一般的にキャスク１と呼ばれ、従来から用いられているキャスク１とほぼ同様な構造を有する。このキャスク１は、上部に開口を有し、核燃料を収納・保管するための貯蔵室１１を形成するキャスク本体１０と、前記開口を塞ぐ第１の蓋体１２と、さらに第１の蓋体１２の上部を覆う第２の蓋体１３を備える。このキャスク１は、第１の蓋体１２に形成された凹部１５と第２の蓋体１３の底面とから形成された蓋間空間部１４を有している。核燃料が貯蔵された貯蔵室１１内の大気は不活性ガスで置換され、大気圧よりも減圧状態に維持される。蓋間空間部１４は不活性ガスで大気圧よりも高圧に加圧されている。
【００１５】
第２の蓋体１３の上面には凹所１８が形成されている。当該凹所１８内には、蓋間空間部１４から引き出された配管１９に接続された１次バルブ１６と、その近くにて前記１次バルブ１６に接続されたカプラー１７が設置されている。圧力計２はキャスク１から離れた位置、具体的には作業の安全が確保される地上や放射線量が極めて少なく、被ばくの可能性がほとんどない環境下、例えば放射線管理区域外に設置され、そのキャスク１側に２次バルブ２２が接続されている。２次バルブ２２とカプラー１７の間は導管２１により気密的に接続されることによって、蓋間空間部１４の圧力を圧力計２に伝える導圧路２０が蓋間空間部１４と圧力計２の間に形成されている。また、導圧路２０の末端には終末カプラー２３が設置されている。
【００１６】
この保安監視設備においては、キャスク１の近くに１次バルブ１６が設置されているので、蓋間空間部１４を加圧した状態で圧力計２の設置場所を自由に変えることができる。従って、貯蔵設備を管理する建物などの設備環境を容易に改修できる。また、圧力計２はキャスク１から離れた位置に設置される。それに加えて、圧力計２の近くには２次バルブ２２が設置されているので、２次バルブ２２を閉じることによって圧力計２の校正や交換など、圧力計２の保守点検作業が行える。これらのために、作業者はキャスク１に近づくことなく安全に圧力計２の保守点検が行える。また、放射線管理区域外での作業が行えるので、作業時間にとらわれず確実な保守点検作業を行うことができる。
【実施例２】
【００１７】
図２は、本発明の核燃料貯蔵施設における保安監視設備の他例を示す説明図である。この保安監視設備は、第２の２次バルブ２２ａと第２の圧力計２ａを備えた分岐管２１ａが導管２１に接続されている点で、実施例１の保安監視設備と異なっている。すなわち、第１の２次バルブ２２及び第１の圧力計２が備えられた導管２１から、第１の２次バルブ２２のキャスク１側において分岐管２１ａが分岐し、当該分岐管２１ａに第２の圧力計２ａが接続され、当該第２の圧力計２ａのキャスク１側において第２の２次バルブ２２ａが分岐管２１ａに設置されている。この態様においては、通常の保安監視時には、第１の圧力計２又は第２の圧力計２ａのいずれか一方の圧力計２又圧力計２ａを用いて監視が行われる。
【００１８】
この保安監視設備では２つの圧力計２，２ａを有しているために蓋間空間部１４の圧力監視を中断することなく、保守点検作業を行うことができる。すなわち、第１の圧力計２の保守点検を行う場合には、第２の２次バルブ２２ａを開いた状態で、第１の２次バルブ２２を閉じればよく、第２の圧力計２ａの保守点検を行う場合には、第１の２次バルブ２２ａを開いた状態で、第２の２次バルブ２２を閉じればよい。
【００１９】
もっとも、この態様においては、通常の保安監視時に、第１の圧力計２と第２の圧力計２ａを使って蓋間空間部１４の圧力を測定し、両者の圧力差を検出することによって、圧力計２及び／又は圧力計２ａの異常を検出することもできる。
【００２０】
なお、上記各実施例においては、第２の蓋体１３に凹所１８を設け、凹所１８内に１次バルブ１６及びカプラー１７が設置されているが、この凹所１８は必須のものではなく、第２の蓋体１３上方に１次バルブ１６及びカプラー１７を設置してもよい。
【産業上の利用可能性】
【００２１】
本発明によると、保安監視設備、特に圧力計の保守点検作業に際して、被ばく可能性がほとんどなく、作業員の安全性が向上した核燃料貯蔵施設の保安監視設備が提供される。
【符号の説明】
【００２２】
１  キャスク
２  圧力計
１０  キャスク本体
１２  第１の蓋体
１４  蓋間空間部
１６  １次バルブ
２１  導管
２２  ２次バルブ
【図１】
2011196715.tif 000003
【図２】
2011196715.tif 000004
【図３】
2011196715.tif 000005